(57)【要約】  本発明は、建設機械用の掘削歯に関するものであり、建設機械用の掘削歯を交換する方法に関するものである。前記掘削歯は作業端部と取付端部を備え、前記取付端部は、作業工具に取り付けられたアダプターを受容する手段を規定する。前記作業端部は、穴を規定する。摩耗インジケータは穴の中に位置し、前記作業端部の未摩耗長さよりも短い長さと、前記作業端部の色と目に見えて対照的な色を備えている。前記掘削歯が使用により摩耗すると、前記摩耗インジケータは前記掘削歯の交換に必要な視覚表示を与えるために見えるようになる。【選択図】図４
2014527133.tif 000002
【特許請求の範囲】
【請求項１】
建設機械用の掘削歯であって、
作業端部と取付端部を備えた掘削歯であり、
前記取付端部は、作業工具に取り付けられたアダプターを受容する手段を規定し、
前記作業端部は、穴を規定し、
摩耗インジケータを備えており、前記摩耗インジケータは、穴の中に位置し、
前記作業端部の未摩耗長さよりも短い長さと、
前記作業端部の色と目に見えて対照的な色を備えている、
掘削歯。
【請求項２】
前記摩耗インジケータは流動性材料であり、
前記穴は、前記摩耗インジケータが前記取付端部に流入するのを防ぐように塞がれた内端部を含む、請求項１に記載の掘削歯。
【請求項３】
前記摩耗インジケータはエポキシ樹脂である、請求項１に記載の掘削歯。
【請求項４】
前記摩耗インジケータは金属である、請求項１に記載の掘削歯。
【請求項５】
前記摩耗インジケータはプラスチックである、請求項１に記載の掘削歯。
【請求項６】
前記摩耗インジケータは流動性接着剤である、請求項１に記載の掘削歯。
【請求項７】
建設機械の作業工具の掘削歯を交換する方法であって、前記作業工具にはアダプターが設けられ、前記掘削歯は作業端部と取付端部を備え、前記取付端部は前記アダプターを受容する凹部を規定し、前記作業端部は穴を規定し、未摩耗長さと摩耗長さを備え、摩耗インジケータが前記穴の中に位置し、前記未摩耗長さよりも短い長さと、前記作業端部の色と対照的な色を備えている建設機械の作業工具の掘削歯を交換する方法は、
前記未摩耗長さから前記摩耗長さまで前記掘削歯を研磨によって摩耗させることによって前記摩耗インジケータが見えるようにするステップと、
前記摩耗インジケータが見えるようになった後に前記掘削歯を交換するステップとを備えている、
方法。
【請求項８】
前記摩耗インジケータは流動性材料であり、
前記穴は、前記摩耗インジケータが前記取付端部に流入するのを防ぐように塞がれた内端部を含む、請求項７に記載の方法。
【請求項９】
前記摩耗インジケータはエポキシ樹脂である、請求項７に記載の方法。
【請求項１０】
前記摩耗インジケータは金属である、請求項７に記載の方法。
【請求項１１】
前記摩耗インジケータはプラスチックである、請求項７に記載の方法。
【請求項１２】
前記摩耗インジケータは流動性接着剤である、請求項７に記載の方法。
【請求項１３】
建設機械用の掘削歯であって、
作業端部と取付端部を備えた掘削歯であり、
前記取付端部は、アダプター受容凹部を規定し、
前記作業端部は、穴を規定し、
摩耗インジケータを備えており、前記摩耗インジケータは、前記穴の中に位置し、
前記作業端部の未摩耗長さよりも短く、前記作業端部の摩耗長さ以上または等しい長さと、
前記作業端部の色と目に見えて対照的な色を備えている、
掘削歯。
【請求項１４】
前記摩耗インジケータは流動性材料であり、
前記穴は、前記摩耗インジケータが前記取付端部に流入するのを防ぐように塞がれた内端部を含む、請求項１３に記載の掘削歯。
【請求項１５】
前記摩耗インジケータはエポキシ樹脂である、請求項１３に記載の掘削歯。
【請求項１６】
前記摩耗インジケータは金属である、請求項１３に記載の掘削歯。
【請求項１７】
前記摩耗インジケータはプラスチックである、請求項１３に記載の掘削歯。
【請求項１８】
前記摩耗インジケータは流動性接着剤である、請求項１３に記載の掘削歯。
【発明の詳細な説明】
【技術分野】
【０００１】
本発明は、建設機械の掘削歯の摩耗インジケータシステムに関する。
【背景技術】
【０００２】
例えば、スキッドステア、掘削機、ブルドーザー、及びローダーを含む建設機械は、バケット又はブレードの形の作業工具を備えている場合がある。多くの場合、そのようなバケット又はブレードの前縁には、複数の掘削歯が装備されている。掘削歯をバケット又はブレードに固定するために、掘削歯は一般的にバケット又はブレード上に設けられたアダプターと嵌合する。例えば、バケットの前方下側リップには、リップの長さに沿って延在する一連のアダプター及び掘削歯が設けられている場合がある。
【０００３】
使用中、掘削歯はアブレシブ摩耗を受けるため、掘削歯を時々交換することが必要になる。掘削歯の適時の交換をしないと、アダプターへの損傷が生じる可能性があり、アダプターは、一般的に掘削歯だけの交換よりも交換するのに費用がかかる。掘削歯の適時の交換は重要ではあるが、掘削歯をあまりにも早く交換すると、全耐用年数を全うせずに使用しなくてはならないことになり、それもまたコストを増加させる。このため、掘削歯の摩耗や交換の必要性を示すために様々なシステムが提案されている。
【０００４】
特許文献１は、掘削歯がすり減ったときに生じる掘削歯の開口からアダプター上に位置する摩耗表示リブが見える装置を示している。摩耗表示リブは摩耗の指標となるが、このシステムは、摩耗表示リブを含む特殊なアダプターを必要とするので、既存の機械に簡単には適合できない。この解決策は、掘削歯が摩耗表示リブの周囲に広がる領域に大きな空洞を備えている必要もあり、これが比較的大きな負荷を受ける重要部位の歯を弱らせることになる。更に、この解決策は、摩耗表示リブがアダプターそのものの上にあって露出しなければならないため、何らかの視覚的指標が現れ得る前にどうしても摩耗の可能性にさらされてしまうので、アダプターが余計な摩耗にさらされる危険性がある。その上、歯に「穴をあけて」摩耗表示リブを露出するので、異物が穴に詰まって、摩耗表示リブを覆い隠し、場合によってはアダプターに損傷を与える可能性がある。
【０００５】
同様に、特許文献２は、歯が摩耗によって腐食するにつれて歯の大きな空洞が目に見えるようになるように配置される装置を示している。このシステムは、アダプターの耐荷重領域に損傷を与えることなく各々の掘削歯に「穴をあける」ことができるように設計されているが、歯に「穴をあける」ので、異物が穴に詰まって、穴の状況を覆い隠し、場合によってはアダプターに損傷を与える可能性がある。この解決策は、掘削歯がアダプターの周囲に広がる領域に大きな空洞を規定する必要もあり、これが比較的大きな負荷を受ける重要部位の歯を弱らせることになる。
【先行技術文献】
【特許文献】
【０００６】
【特許文献１】米国特許第５，１４４，７６２号明細書
【特許文献２】米国特許第６，０３２，３９０号明細書
【発明の概要】
【発明が解決しようとする課題】
【０００７】
本発明は、掘削歯の摩耗インジケータシステムの改良を目的とする。
【課題を解決するための手段】
【０００８】
本発明の一実施形態によれば、建設機械用の掘削歯は、作業端部と取付端部を備えた掘削歯である。取付端部は、作業工具に取り付けられたアダプターを受容する手段を規定する。作業端部は、穴を規定する。摩耗インジケータは、穴の中に位置し、作業端部の未摩耗長さよりも短い長さと、作業端部の色と目に見えて対照的な色を備えている。
【０００９】
本発明の別の実施形態によれば、建設機械の作業工具の掘削歯を交換する方法であって、作業工具にはアダプターが設けられ、掘削歯は作業端部と取付端部を備え、取付端部はアダプターを受容する凹部を規定し、作業端部は穴を規定し、未摩耗長さと摩耗長さを備え、摩耗インジケータが穴の中に位置し、未摩耗長さよりも短い長さと、作業端部の色と対照的な色を備えている建設機械の作業工具の掘削歯を交換する方法は、未摩耗長さから摩耗長さまで掘削歯を研磨によって摩耗させることによって摩耗インジケータが見えるようにするステップと、摩耗インジケータが見えるようになった後に掘削歯を交換するステップとを備えている。
【００１０】
本発明の別の実施形態によれば、建設機械用の掘削歯は、作業端部と取付端部を備えた掘削歯である。取付端部は、アダプター受容凹部を規定する。作業端部は、穴を規定する。摩耗インジケータは、穴の中に位置し、作業端部の未摩耗長さよりも短い長さ又は作業端部の摩耗長さ以上または等しい長さと、掘削歯の作業端部の色と目に見えて対照的な色を備えている。
【００１１】
本発明の一態様によれば、建設機械用の掘削歯は、
作業端部と取付端部を備えた掘削歯であり、
取付端部は、作業工具上に取り付けられたアダプターを受容する手段を規定し、
作業端部は、穴を規定し、
摩耗インジケータを備えており、この摩耗インジケータは、穴の中に位置し、
作業端部の未摩耗長さよりも短い長さと、
作業端部の色と目に見えて対照的な色を備えている。
【００１２】
好ましくは、摩耗インジケータは流動性材料であり、穴は、摩耗インジケータが取付端部に流入するのを防ぐように塞がれた内端部を含む。
【００１３】
好ましくは、摩耗インジケータはエポキシ樹脂である。
【００１４】
好ましくは、摩耗インジケータは金属である。
【００１５】
好ましくは、摩耗インジケータはプラスチックである。
【００１６】
好ましくは、摩耗インジケータは流動性接着剤である。
【００１７】
本発明の別の態様によれば、建設機械の作業工具の掘削歯を交換する方法であって、作業工具にはアダプターが設けられ、掘削歯は作業端部と取付端部を備え、取付端部はアダプターを受容する凹部を規定し、作業端部は穴を規定し、未摩耗長さと摩耗長さを備え、摩耗インジケータが穴の中に位置し、未摩耗長さよりも短い長さと、作業端部の色と対照的な色を備えている建設機械の作業工具の掘削歯を交換する方法は、
未摩耗長さから摩耗長さまで掘削歯を研磨によって摩耗させることによって摩耗インジケータが見えるようにするステップと、
摩耗インジケータが見えるようになった後に掘削歯を交換するステップとを備えている。
【００１８】
好ましくは、摩耗インジケータは流動性材料であり、穴は、摩耗インジケータが取付端部に流入するのを防ぐように塞がれた内端部を含む。
【００１９】
好ましくは、摩耗インジケータはエポキシ樹脂である。
【００２０】
好ましくは、摩耗インジケータは金属である。
【００２１】
好ましくは、摩耗インジケータはプラスチックである。
【００２２】
好ましくは、摩耗インジケータは流動性接着剤である。
【００２３】
本発明のまた別の態様によれば、建設機械用の掘削歯は、
作業端部と取付端部を備えた掘削歯であり、
取付端部は、アダプター受容凹部を規定し、
作業端部は、穴を規定し、
摩耗インジケータを備えており、この摩耗インジケータは穴の中に位置し、
作業端部の未摩耗長さよりも短い長さ又は作業端部の摩耗長さ以上または等しい長さと、
作業端部の色と目に見えて対照的な色を備えている。
【００２４】
好ましくは、摩耗インジケータは流動性材料であり、穴は、摩耗インジケータが取付端部に流入するのを防ぐように塞がれた内端部を含む。
【００２５】
好ましくは、摩耗インジケータはエポキシ樹脂である。
【００２６】
好ましくは、摩耗インジケータは金属である。
【００２７】
好ましくは、摩耗インジケータはプラスチックである。
【００２８】
好ましくは、摩耗インジケータは流動性接着剤である。
【図面の簡単な説明】
【００２９】
【図１】本発明の一実施形態による建設作業機械の側面斜視図を示す。
【図２Ａ】本発明の一実施形態による作業工具の斜視図を示す。
【図２Ｂ】図２Ａに示す掘削歯アセンブリの拡大図を示す。
【図３】本発明の一実施形態による掘削歯の断面図を示す。
【図４】本発明の一実施形態による掘削歯アセンブリの断面図を示す。
【図５】本発明の一実施形態による掘削歯アセンブリの断面図を示す。
【図６】本発明の一実施形態による掘削歯アセンブリの断面図を示す。
【図７】本発明の一実施形態による掘削歯アセンブリの断面図を示す。
【発明を実施するための形態】
【００３０】
図１は、本発明の一実施形態による建設作業機械１０を示す。そこに図示するように、建設作業機械１０はローダー１１であってもよい。やはり図示するように、建設作業機械１０は、少なくとも１つの作業工具１５を備えており、本実施形態においては、材料（例えば、砂利や土など）を採掘し、且つ／又は移動させるためのバケット１６として示されている。
【００３１】
図１〜２Ｂに示すように、作業工具１５は、２０で表す、少なくとも１つの掘削歯アセンブリ、好ましくは複数の掘削歯アセンブリを備えている。図２が最も良く示しているように、掘削歯アセンブリ２０には、各々アダプター２１と掘削歯２５が設けられている。本実施形態の一態様によれば、アダプター２１は、掘削歯２５を作業工具１５に着脱可能に固定するインターフェースとして機能する。
【００３２】
図２に示すように、アダプター２１は、作業工具１５の前方下側リップ１７に固定することができる。アダプター２１は任意の適切な方法で作業工具１５に固定することができるが、摩耗又は損傷した場合、必要に応じてアダプター２１を交換することができる着脱可能な方法で固定するのが好ましいことが、当業者には理解されるであろう。
【００３３】
また、図３に示すように、掘削歯２５には、アダプター２１を受容する手段が設けられている。本実施形態では、掘削歯２５は、アダプター２１を受容する内部アダプター受容凹部２７を規定する取付端部２６を備えている。掘削歯２５をアダプター２１に任意の方法で固定することは本実施形態の技術的範囲内であると共に、図示するように、取り外し可能な保持ピン３５が掘削歯２５をアダプター２１に着脱可能に固定することができる。
【００３４】
長所として、本実施形態の掘削歯２５は、アブレシブ摩耗によって掘削歯２５がすり減ったときに見えるようになる摩耗インジケータ５０を含んでいる。本実施形態では、掘削歯２５は、アダプター２１と取付端部２６から延在する作業端部２８を備えている。図示するように、図３〜５では、作業端部２８が摩耗インジケータ５０を受容する穴２９を規定し、それによって摩耗インジケータ５０が作業端部２８の内部に位置している。
【００３５】
図示するように、図４では、摩耗インジケータ５０が、歯２５の作業端部２８の未摩耗長さ２８ａよりも短い長さ５１を備えている。図５に示すように、摩耗インジケータ５０の長さ５１は、作業端部の摩耗長さ２８ｂ以上の長さである。長所として、図４及び５の比較で示すように、作業端部２８がアブレシブ摩耗によってすり減ると、作業端部２８の未摩耗長さ２８ａが摩耗長さ２８ｂまで減少し、摩耗インジケータ５０が見えるようになる。長所として、摩耗インジケータ５０は、作業端部２８の色と対照的な色を備えている。従って、目に見えた時点で、摩耗インジケータ５０は、例えば、掘削歯２５を交換すべきであるという明確な視覚的指標を作業員に提示する。長所として、視覚的指標は、掘削歯２５の作業端部２８の摩耗によってアダプター２１への損傷が発生し得る前に現れる。
【００３６】
本発明の技術的範囲内で、摩耗インジケータ５０又は５０’は、作業端部２８の色と対照的な任意の材料から製造することができる。限定ではないが一例として、摩耗インジケータ５０は、金属、プラスチック、エポキシ樹脂から製造することができる。限定ではないが別の例として、摩耗インジケータ５０’は、空気にさらされると硬化し、掘削歯２５の外面２９に固着する着色流動性接着剤から製造することができる。
【００３７】
次に図６を参照すると、摩耗インジケータ５０’が流動性材料であることを除いては、図１〜５に示す実施形態と同様の代替的実施形態が示されている。図６に示すように、本実施形態では、摩耗インジケータ５０’は、アブレシブ摩耗によって作業端部２８がすり減ったときに穴２９から流出して、摩耗インジケータ５０’が見えるようになる。長所として、摩耗インジケータ５０’は、穴から流出し、掘削歯２５の外面２５ａを被覆して、より大きな視覚的指標を提示することができる。図示するように、穴２９の内端部２８ａは、摩耗インジケータ５０’がアダプター受容凹部２７又は取付端部２６に流入するのを防ぐために、２９ｂのように塞ぐことができる。
【００３８】
上記の実施形態の詳細な説明は、本発明の技術的範囲内にある、本発明者によって企図された、全ての実施形態の説明を網羅するものではない。本説明は、本発明の最良の形態を製作し使用する方法を当業者に教示するための具体的な例を示している。当業者は、本発明の技術的範囲に含まれるこれらの例から変形例を理解するであろう。限定ではないが一例として、図１〜５は摩耗インジケータ５０とアダプターの間に小さな隙間を示しているが、図７に示すように、摩耗インジケータ５０はアダプター２１に当接してもよい。
【００３９】
当業者は、上記の実施形態及び実施例の特定の要素が更なる実施形態を創作するために様々に組み合わされ、又は削除されること、そしてそのような更なる実施形態が本発明の技術的範囲及び教示に含まれることを理解するであろう。また、上記の実施形態が、本発明の技術的範囲及び教示の中で追加的な実施形態を創作するために、全体的又は部分的に組み合わされることができることは、当業者にとって明白であろう。このように、本発明の特定の実施形態及び実施例は、例示を目的として本明細書において説明されているが、関連技術の当業者が理解するであろうように、様々な同等の変更が本発明の技術的範囲内で可能である。よって、本発明の技術的範囲は、以下の特許請求の範囲及びその均等物から決定される。
【図１】
2014527133.tif 000003
【図２Ａ】
2014527133.tif 000004
【図２Ｂ】
2014527133.tif 000005
【図３】
2014527133.tif 000006
【図４】
2014527133.tif 000007
【図５】
2014527133.tif 000008
【図６】
2014527133.tif 000009
【図７】
2014527133.tif 000010
【手続補正書】
【提出日】平成25年2月11日(2013.2.11)
【手続補正１】
【補正対象書類名】明細書
【補正対象項目名】全文
【補正方法】変更
【補正の内容】
【発明の詳細な説明】
【技術分野】
【０００１】
本発明は、建設機械の掘削歯の摩耗インジケータシステムに関する。
【背景技術】
【０００２】
例えば、スキッドステア、掘削機、ブルドーザー、及びローダーを含む建設機械は、バケット又はブレードの形の作業工具を備えている場合がある。多くの場合、そのようなバケット又はブレードの前縁には、複数の掘削歯が装備されている。掘削歯をバケット又はブレードに固定するために、掘削歯は一般的にバケット又はブレード上に設けられたアダプターと嵌合する。例えば、バケットの前方下側リップには、リップの長さに沿って延在する一連のアダプター及び掘削歯が設けられている場合がある。
【０００３】
使用中、掘削歯はアブレシブ摩耗を受けるため、掘削歯を時々交換することが必要になる。掘削歯の適時の交換をしないと、アダプターへの損傷が生じる可能性があり、アダプターは、一般的に掘削歯だけの交換よりも交換するのに費用がかかる。掘削歯の適時の交換は重要ではあるが、掘削歯をあまりにも早く交換すると、全耐用年数を全うせずに使用しなくてはならないことになり、それもまたコストを増加させる。このため、掘削歯の摩耗や交換の必要性を示すために様々なシステムが提案されている。
【０００４】
特許文献１は、掘削歯がすり減ったときに生じる掘削歯の開口からアダプター上に位置する摩耗表示リブが見える装置を示している。摩耗表示リブは摩耗の指標となるが、このシステムは、摩耗表示リブを含む特殊なアダプターを必要とするので、既存の機械に簡単には適合できない。この解決策は、掘削歯が摩耗表示リブの周囲に広がる領域に大きな空洞を備えている必要もあり、これが比較的大きな負荷を受ける重要部位の歯を弱らせることになる。更に、この解決策は、摩耗表示リブがアダプターそのものの上にあって露出しなければならないため、何らかの視覚的指標が現れ得る前にどうしても摩耗の可能性にさらされてしまうので、アダプターが余計な摩耗にさらされる危険性がある。その上、歯に「穴をあけて」摩耗表示リブを露出するので、異物が穴に詰まって、摩耗表示リブを覆い隠し、場合によってはアダプターに損傷を与える可能性がある。
【０００５】
同様に、特許文献２は、歯が摩耗によって腐食するにつれて歯の大きな空洞が目に見えるようになるように配置される装置を示している。このシステムは、アダプターの耐荷重領域に損傷を与えることなく各々の掘削歯に「穴をあける」ことができるように設計されているが、歯に「穴をあける」ので、異物が穴に詰まって、穴の状況を覆い隠し、場合によってはアダプターに損傷を与える可能性がある。この解決策は、掘削歯がアダプターの周囲に広がる領域に大きな空洞を規定する必要もあり、これが比較的大きな負荷を受ける重要部位の歯を弱らせることになる。
【先行技術文献】
【特許文献】
【０００６】
【特許文献１】米国特許第５，１４４，７６２号明細書
【特許文献２】米国特許第６，０３２，３９０号明細書
【発明の概要】
【発明が解決しようとする課題】
【０００７】
本発明は、掘削歯の摩耗インジケータシステムの改良を目的とする。
【課題を解決するための手段】
【０００８】
本発明の一実施形態によれば、建設機械用の掘削歯は、作業端部と取付端部を備えた掘削歯である。取付端部は、作業工具に取り付けられたアダプターを受容する手段を規定する。作業端部は、穴を規定する。作業端部上に設けられた摩耗インジケータは、穴の中に位置し、作業端部の未摩耗長さよりも短い長さと、作業端部の色と目に見えて対照的な色を備えている。
【０００９】
本発明の別の実施形態によれば、建設機械の作業工具の掘削歯を交換する方法であって、作業工具にはアダプターが設けられ、掘削歯は作業端部と取付端部を備え、取付端部はアダプターを受容する凹部を規定し、作業端部は穴を規定し、未摩耗長さと摩耗長さを備え、作業端部上に設けられた摩耗インジケータが穴の中に位置し、未摩耗長さよりも短い長さと、作業端部の色と対照的な色を備えている建設機械の作業工具の掘削歯を交換する方法は、未摩耗長さから摩耗長さまで掘削歯を研磨によって摩耗させることによって摩耗インジケータが見えるようにするステップと、摩耗インジケータが見えるようになった後に掘削歯を交換するステップとを備えている。
【００１０】
本発明の別の実施形態によれば、建設機械用の掘削歯は、作業端部と取付端部を備えた掘削歯である。取付端部は、アダプター受容凹部を規定する。作業端部は、穴を規定する。作業端部上に設けられた摩耗インジケータは、穴の中に位置し、作業端部の未摩耗長さよりも短い長さ又は作業端部の摩耗長さ以上または等しい長さと、掘削歯の作業端部の色と目に見えて対照的な色を備えている。
【００１１】
本発明の一態様によれば、建設機械用の掘削歯は、
作業端部と取付端部を備えた掘削歯であり、
取付端部は、作業工具上に取り付けられたアダプターを受容する手段を規定し、
作業端部は、穴を規定し、
作業端部上に設けられた摩耗インジケータを備えており、この摩耗インジケータは、穴の中に位置し、
作業端部の未摩耗長さよりも短い長さと、
作業端部の色と目に見えて対照的な色を備えている。
【００１２】
好ましくは、摩耗インジケータは流動性材料であり、穴は、摩耗インジケータが取付端部に流入するのを防ぐように塞がれた内端部を含む。
【００１３】
好ましくは、摩耗インジケータはエポキシ樹脂である。
【００１４】
好ましくは、摩耗インジケータは金属である。
【００１５】
好ましくは、摩耗インジケータはプラスチックである。
【００１６】
好ましくは、摩耗インジケータは流動性接着剤である。
【００１７】
本発明の別の態様によれば、建設機械の作業工具の掘削歯を交換する方法であって、作業工具にはアダプターが設けられ、掘削歯は作業端部と取付端部を備え、取付端部はアダプターを受容する凹部を規定し、作業端部は穴を規定し、未摩耗長さと摩耗長さを備え、作業端部上に設けられた摩耗インジケータが穴の中に位置し、未摩耗長さよりも短い長さと、作業端部の色と対照的な色を備えている建設機械の作業工具の掘削歯を交換する方法は、
未摩耗長さから摩耗長さまで掘削歯を研磨によって摩耗させることによって摩耗インジケータが見えるようにするステップと、
摩耗インジケータが見えるようになった後に掘削歯を交換するステップとを備えている。
【００１８】
好ましくは、摩耗インジケータは流動性材料であり、穴は、摩耗インジケータが取付端部に流入するのを防ぐように塞がれた内端部を含む。
【００１９】
好ましくは、摩耗インジケータはエポキシ樹脂である。
【００２０】
好ましくは、摩耗インジケータは金属である。
【００２１】
好ましくは、摩耗インジケータはプラスチックである。
【００２２】
好ましくは、摩耗インジケータは流動性接着剤である。
【００２３】
本発明のまた別の態様によれば、建設機械用の掘削歯は、
作業端部と取付端部を備えた掘削歯であり、
取付端部は、アダプター受容凹部を規定し、
作業端部は、穴を規定し、
作業端部上に設けられた摩耗インジケータを備えており、この摩耗インジケータは穴の中に位置し、
作業端部の未摩耗長さよりも短い長さ又は作業端部の摩耗長さ以上または等しい長さと、
作業端部の色と目に見えて対照的な色を備えている。
【００２４】
好ましくは、摩耗インジケータは流動性材料であり、穴は、摩耗インジケータが取付端部に流入するのを防ぐように塞がれた内端部を含む。
【００２５】
好ましくは、摩耗インジケータはエポキシ樹脂である。
【００２６】
好ましくは、摩耗インジケータは金属である。
【００２７】
好ましくは、摩耗インジケータはプラスチックである。
【００２８】
好ましくは、摩耗インジケータは流動性接着剤である。
【図面の簡単な説明】
【００２９】
【図１】本発明の一実施形態による建設作業機械の側面斜視図を示す。
【図２Ａ】本発明の一実施形態による作業工具の斜視図を示す。
【図２Ｂ】図２Ａに示す掘削歯アセンブリの拡大図を示す。
【図３】本発明の一実施形態による掘削歯の断面図を示す。
【図４】本発明の一実施形態による掘削歯アセンブリの断面図を示す。
【図５】本発明の一実施形態による掘削歯アセンブリの断面図を示す。
【図６】本発明の一実施形態による掘削歯アセンブリの断面図を示す。
【図７】本発明の一実施形態による掘削歯アセンブリの断面図を示す。
【発明を実施するための形態】
【００３０】
図１は、本発明の一実施形態による建設作業機械１０を示す。そこに図示するように、建設作業機械１０はローダー１１であってもよい。やはり図示するように、建設作業機械１０は、少なくとも１つの作業工具１５を備えており、本実施形態においては、材料（例えば、砂利や土など）を採掘し、且つ／又は移動させるためのバケット１６として示されている。
【００３１】
図１〜２Ｂに示すように、作業工具１５は、２０で表す、少なくとも１つの掘削歯アセンブリ、好ましくは複数の掘削歯アセンブリを備えている。図２が最も良く示しているように、掘削歯アセンブリ２０には、各々アダプター２１と掘削歯２５が設けられている。本実施形態の一態様によれば、アダプター２１は、掘削歯２５を作業工具１５に着脱可能に固定するインターフェースとして機能する。
【００３２】
図２に示すように、アダプター２１は、作業工具１５の前方下側リップ１７に固定することができる。アダプター２１は任意の適切な方法で作業工具１５に固定することができるが、摩耗又は損傷した場合、必要に応じてアダプター２１を交換することができる着脱可能な方法で固定するのが好ましいことが、当業者には理解されるであろう。
【００３３】
また、図３に示すように、掘削歯２５には、アダプター２１を受容する手段が設けられている。本実施形態では、掘削歯２５は、アダプター２１を受容する内部アダプター受容凹部２７を規定する取付端部２６を備えている。掘削歯２５をアダプター２１に任意の方法で固定することは本実施形態の技術的範囲内であると共に、図示するように、取り外し可能な保持ピン３５が掘削歯２５をアダプター２１に着脱可能に固定することができる。
【００３４】
長所として、本実施形態の掘削歯２５は、アブレシブ摩耗によって掘削歯２５がすり減ったときに見えるようになる摩耗インジケータ５０を含んでいる。本実施形態では、掘削歯２５は、その上に摩耗インジケータが設けられた作業端部２８を備えている。図示するように、作業端部２８は、アダプター２１と取付端部２６から延在する。図示するように、図３〜５では、作業端部２８が摩耗インジケータ５０を受容する穴２９を規定し、それによって摩耗インジケータ５０が作業端部２８の内部に位置している。図示するように、摩耗インジケータ５０は、穴２９の中に完全に位置していてもよい。
【００３５】
図示するように、図４では、摩耗インジケータ５０が、歯２５の作業端部２８の未摩耗長さ２８ａよりも短い長さ５１を備えている。図５に示すように、摩耗インジケータ５０の長さ５１は、作業端部の摩耗長さ２８ｂ以上の長さである。長所として、図４及び５の比較で示すように、作業端部２８がアブレシブ摩耗によってすり減ると、作業端部２８の未摩耗長さ２８ａが摩耗長さ２８ｂまで減少し、摩耗インジケータ５０が見えるようになる。長所として、摩耗インジケータ５０は、作業端部２８の色と対照的な色を備えている。従って、目に見えた時点で、摩耗インジケータ５０は、例えば、掘削歯２５を交換すべきであるという明確な視覚的指標を作業員に提示する。長所として、視覚的指標は、掘削歯２５の作業端部２８の摩耗によってアダプター２１への損傷が発生し得る前に現れる。
【００３６】
本発明の技術的範囲内で、摩耗インジケータ５０又は５０’は、作業端部２８の色と対照的な任意の材料から製造することができる。限定ではないが一例として、摩耗インジケータ５０は、金属、プラスチック、エポキシ樹脂から製造することができる。限定ではないが別の例として、摩耗インジケータ５０’は、空気にさらされると硬化し、掘削歯２５の外面２９に固着する着色流動性接着剤から製造することができる。
【００３７】
次に図６を参照すると、摩耗インジケータ５０’が流動性材料であることを除いては、図１〜５に示す実施形態と同様の代替的実施形態が示されている。図６に示すように、本実施形態では、摩耗インジケータ５０’は、アブレシブ摩耗によって作業端部２８がすり減ったときに穴２９から流出して、摩耗インジケータ５０’が見えるようになる。長所として、摩耗インジケータ５０’は、穴から流出し、掘削歯２５の外面２５ａを被覆して、より大きな視覚的指標を提示することができる。図示するように、穴２９の内端部２８ａは、摩耗インジケータ５０’がアダプター受容凹部２７又は取付端部２６に流入するのを防ぐために、２９ｂのように塞ぐことができる。
【００３８】
上記の実施形態の詳細な説明は、本発明の技術的範囲内にある、本発明者によって企図された、全ての実施形態の説明を網羅するものではない。本説明は、本発明の最良の形態を製作し使用する方法を当業者に教示するための具体的な例を示している。当業者は、本発明の技術的範囲に含まれるこれらの例から変形例を理解するであろう。限定ではないが一例として、図１〜５は摩耗インジケータ５０とアダプターの間に小さな隙間を示しているが、図７に示すように、摩耗インジケータ５０はアダプター２１に当接してもよい。
【００３９】
当業者は、上記の実施形態及び実施例の特定の要素が更なる実施形態を創作するために様々に組み合わされ、又は削除されること、そしてそのような更なる実施形態が本発明の技術的範囲及び教示に含まれることを理解するであろう。また、上記の実施形態が、本発明の技術的範囲及び教示の中で追加的な実施形態を創作するために、全体的又は部分的に組み合わされることができることは、当業者にとって明白であろう。このように、本発明の特定の実施形態及び実施例は、例示を目的として本明細書において説明されているが、関連技術の当業者が理解するであろうように、様々な同等の変更が本発明の技術的範囲内で可能である。よって、本発明の技術的範囲は、以下の特許請求の範囲及びその均等物から決定される。
【手続補正２】
【補正対象書類名】特許請求の範囲
【補正対象項目名】全文
【補正方法】変更
【補正の内容】
【特許請求の範囲】
【請求項１】
建設機械用の掘削歯であって、
作業端部と取付端部を備えた掘削歯であり、
前記取付端部は、作業工具に取り付けられたアダプターを受容する手段を規定し、
前記作業端部は、穴を規定し、
前記作業端部上に設けられた摩耗インジケータを備えており、前記摩耗インジケータは、穴の中に位置し、
前記作業端部の未摩耗長さよりも短い長さと、
前記作業端部の色と目に見えて対照的な色を備えている、
掘削歯。
【請求項２】
前記摩耗インジケータは流動性材料であり、
前記穴は、前記摩耗インジケータが前記取付端部に流入するのを防ぐように塞がれた内端部を含む、請求項１に記載の掘削歯。
【請求項３】
前記摩耗インジケータはエポキシ樹脂である、請求項１に記載の掘削歯。
【請求項４】
前記摩耗インジケータは金属である、請求項１に記載の掘削歯。
【請求項５】
前記摩耗インジケータはプラスチックである、請求項１に記載の掘削歯。
【請求項６】
前記摩耗インジケータは流動性接着剤である、請求項１に記載の掘削歯。
【請求項７】
前記摩耗インジケータは、前記穴の中に完全に位置する、請求項１に記載の掘削歯。
【請求項８】
建設機械の作業工具の掘削歯を交換する方法であって、前記作業工具にはアダプターが設けられ、前記掘削歯は作業端部と取付端部を備え、前記取付端部は前記アダプターを受容する凹部を規定し、前記作業端部は穴を規定し、未摩耗長さと摩耗長さを備え、前記作業端部上に設けられた摩耗インジケータが前記穴の中に位置し、前記未摩耗長さよりも短い長さと、前記作業端部の色と対照的な色を備えている建設機械の作業工具の掘削歯を交換する方法は、
前記未摩耗長さから前記摩耗長さまで前記掘削歯を研磨によって摩耗させることによって前記摩耗インジケータが見えるようにするステップと、
前記摩耗インジケータが見えるようになった後に前記掘削歯を交換するステップとを備えている、
方法。
【請求項９】
前記摩耗インジケータは流動性材料であり、
前記穴は、前記摩耗インジケータが前記取付端部に流入するのを防ぐように塞がれた内端部を含む、請求項８に記載の方法。
【請求項１０】
前記摩耗インジケータはエポキシ樹脂である、請求項８に記載の方法。
【請求項１１】
前記摩耗インジケータは金属である、請求項８に記載の方法。
【請求項１２】
前記摩耗インジケータはプラスチックである、請求項８に記載の方法。
【請求項１３】
前記摩耗インジケータは流動性接着剤である、請求項８に記載の方法。
【請求項１４】
前記摩耗インジケータは、前記穴の中に完全に位置する、請求項８に記載の方法。
【請求項１５】
建設機械用の掘削歯であって、
作業端部と取付端部を備えた掘削歯であり、
前記取付端部は、アダプター受容凹部を規定し、
前記作業端部は、穴を規定し、
前記作業端部上に設けられた摩耗インジケータを備えており、前記摩耗インジケータは、前記穴の中に位置し、
前記作業端部の未摩耗長さよりも短く、前記作業端部の摩耗長さ以上または等しい長さと、
前記作業端部の色と目に見えて対照的な色を備えている、
掘削歯。
【請求項１６】
前記摩耗インジケータは流動性材料であり、
前記穴は、前記摩耗インジケータが前記取付端部に流入するのを防ぐように塞がれた内端部を含む、請求項１５に記載の掘削歯。
【請求項１７】
前記摩耗インジケータはエポキシ樹脂である、請求項１５に記載の掘削歯。
【請求項１８】
前記摩耗インジケータは金属である、請求項１５に記載の掘削歯。
【請求項１９】
前記摩耗インジケータはプラスチックである、請求項１５に記載の掘削歯。
【請求項２０】
前記摩耗インジケータは流動性接着剤である、請求項１５に記載の掘削歯。
【請求項２１】
前記摩耗インジケータは、前記穴の中に完全に位置する、請求項１５に記載の掘削歯。
【国際調査報告】
2014527133.tif 000011